(57)【要約】  本発明によって光記録情報記録媒体、欠陥管理装置、欠陥管理方法及びその方法を行うプログラムが記録されたコンピュータで読み取り可能な記録媒体を提供する。ユーザデータ領域で発生した欠陥に関する欠陥ブロックを代替する代替ブロック及び欠陥に関する情報が記録されるＳＡ／ＤＬ領域と、を備え、欠陥に関する情報は、ユーザデータ領域の連続的な位置で発生した欠陥に関する情報を含む連続欠陥リストエントリを備える光記録情報記録媒体である。
2007518204.tif 000002
【特許請求の範囲】
【請求項１】
光記録情報記録媒体において、
ユーザデータ領域と、
前記媒体は、ユーザデータ領域で発生した欠陥に関する欠陥ブロックを代替する代替ブロック及び前記欠陥に関する情報が記録されるＳＡ／ＤＬ領域とを備え、
前記欠陥に関する情報は、前記ユーザデータ領域の連続的な位置で発生した欠陥に関する情報を含む連続欠陥リストエントリを備えることを特徴とする光記録情報記録媒体。
【請求項２】
前記連続欠陥リストエントリは、前記連続的な位置で発生した欠陥ブロックのうち、最初の欠陥ブロックに関する情報に対応する最初のエントリと、最後の欠陥ブロックに関する情報に対応する最後のエントリとから構成されることを特徴とする請求項１に記載の光記録情報記録媒体。
【請求項３】
前記最初のエントリは、前記最初の欠陥ブロックの位置情報と、前記最初の欠陥ブロックを代替する代替ブロックの位置情報とを含むことを特徴とする請求項２に記載の光記録情報記録媒体。
【請求項４】
前記最後のエントリは、前記最後の欠陥ブロックの位置情報と、前記最後の欠陥ブロックを代替する代替ブロックの位置情報と、を含むことを特徴とする請求項２に記載の光記録情報記録媒体。
【請求項５】
前記欠陥に関する情報は、
前記連続欠陥リストエントリ数に関する情報を含むことを特徴とする請求項１に記載の光記録情報記録媒体。
【請求項６】
前記欠陥に関する情報は、
欠陥リストエントリ数に関する情報をさらに含むことを特徴とする請求項５に記載の光記録情報記録媒体。
【請求項７】
単一欠陥リストエントリ数は、前記欠陥リストエントリ数−２Ｘ連続欠陥リストエントリ数により計算されることを特徴とする請求項６に記載の光記録情報記録媒体。
【請求項８】
前記欠陥に関する情報は、
前記欠陥ブロックの位置情報、前記代替ブロックの位置情報及び前記欠陥に関する状態情報からなる欠陥リストエントリを備えることを特徴とする請求項１に記載の光記録情報記録媒体。
【請求項９】
前記状態情報は、
前記欠陥ブロックが代替されたか否かを表す代替状態情報と、前記欠陥ブロックが連続的に発生した連続欠陥ブロックであるか否かを表す連続欠陥情報と、を含むことを特徴とする請求項８に記載の光記録情報記録媒体。
【請求項１０】
前記欠陥に関する情報は、
前記欠陥ブロックが代替されたことを表す代替状態情報を有する連続欠陥リストエントリ数に関する情報をさらに含むことを特徴とする請求項８に記載の光記録情報記録媒体。
【請求項１１】
前記欠陥に関する情報は、
前記欠陥ブロックが代替されていないことを表す代替状態情報を有する連続欠陥リストエントリ数に関する情報をさらに含むことを特徴とする請求項１０に記載の光記録情報記録媒体。
【請求項１２】
光記録情報記録媒体にデータを記録／再生する装置のための欠陥管理装置において、
前記媒体に、ユーザデータ領域で発生した欠陥に関する欠陥ブロックを代替する代替ブロック及び前記欠陥に関する情報が記録されるＳＡ／ＤＬ領域を割り当て、
前記欠陥に関する情報は、前記ユーザデータ領域の連続的な位置で発生した欠陥に関する情報に対応する連続欠陥リストエントリを備える、欠陥に関する情報を前記ＳＡ／ＤＬ領域に記録するように制御する制御部を備えることを特徴とする欠陥管理装置。
【請求項１３】
前記制御部は、
前記連続欠陥リストエントリを、前記連続的な位置で発生した欠陥ブロックのうち最初の欠陥ブロックに関する情報に対応する最初のエントリと、最後の欠陥ブロックに関する情報に対応する最後のエントリとから構成することを特徴とする請求項１２に記載の欠陥管理装置。
【請求項１４】
前記制御部は、
前記最初の欠陥ブロックの位置情報と、前記最初の欠陥ブロックを代替する代替ブロックの位置情報とを含む前記最初のエントリを生成することを特徴とする請求項１３に記載の欠陥管理装置。
【請求項１５】
前記制御部は、
前記最後の欠陥ブロックの位置情報と、前記最後の欠陥ブロックを代替する代替ブロックの位置情報とを含む前記最後のエントリを生成することを特徴とする請求項１４に記載の欠陥管理装置。
【請求項１６】
前記制御部は、
前記欠陥に関する情報に、前記連続欠陥リストエントリ数に関する情報と、
欠陥リストエントリ数に関する情報とを含め、単一欠陥リストエントリ数は、次のような式：前記欠陥リストエントリ数−２Ｘ連続欠陥リストエントリ数により計算することを特徴とする請求項１２に記載の欠陥管理装置。
【請求項１７】
光記録情報記録媒体にデータを記録／再生するための欠陥管理方法において、
前記媒体に、ユーザデータ領域で発生した欠陥に関する欠陥ブロックを代替する代替ブロック及び前記欠陥に関する情報が記録されるＳＡ／ＤＬ領域を割り当てるステップと、
前記ユーザデータ領域の連続的な位置で発生した欠陥に関する情報に対応する連続欠陥リストエントリを含む欠陥に関する情報を前記ＳＡ／ＤＬ領域に記録するステップとを含むことを特徴とする欠陥管理方法。
【請求項１８】
前記連続欠陥リストエントリを、前記連続的な位置で発生した欠陥ブロックのうち最初の欠陥ブロックに関する情報に対応する最初のエントリと、最後の欠陥ブロックに関する情報に対応する最後のエントリとから構成するステップをさらに含むことを特徴とする請求項１７に記載の欠陥管理方法。
【請求項１９】
前記最初の欠陥ブロックの位置情報と、前記最初の欠陥ブロックを代替する代替ブロックの位置情報とを含む前記最初のエントリを生成するステップを含むことを特徴とする請求項１８に記載の欠陥管理方法。
【請求項２０】
前記最後の欠陥ブロックの位置情報と、前記最後の欠陥ブロックを代替する代替ブロックの位置情報とを含む前記最後のエントリを生成するステップを含むことを特徴とする請求項１８に記載の欠陥管理方法。
【請求項２１】
前記欠陥に関する情報に、前記連続欠陥リストエントリ数に関する情報と、欠陥リストエントリ数に関する情報とを含め、単一欠陥リストエントリ数は、次のような式：前記欠陥リストエントリ数−２Ｘ連続欠陥リストエントリ数により計算するステップを含むことを特徴とする請求項１７に記載の欠陥管理方法。
【請求項２２】
光記録情報記録媒体にデータを記録／再生するための欠陥管理方法を行うプログラムが記録されたコンピュータで読み取り可能な記録媒体において、前記欠陥管理方法は、
前記媒体に、ユーザデータ領域で発生した欠陥に関する欠陥ブロックを代替する代替ブロック及び前記欠陥に関する情報が記録されるＳＡ／ＤＬ領域を割り当てるステップと、
前記ユーザデータ領域の連続的な位置で発生した欠陥に関する情報に対応する連続欠陥リストエントリを含む欠陥に関する情報を前記ＳＡ／ＤＬ領域に記録するステップとを含むことを特徴とする記録媒体。
【請求項２３】
光記録媒体において、
前記光記録媒体の欠陥ブロックにそれぞれ対応し、各欠陥ブロックを代替する複数の代替ブロックと、
前記媒体の連続的な位置に位置した前記欠陥ブロックに関する情報を含む連続欠陥リストエントリとを備えることを特徴とする光記録媒体。
【請求項２４】
前記媒体の連続的な位置にある前記欠陥ブロックのうち、最初及び最後の欠陥ブロックにそれぞれ対応する最初及び最後のエントリに関する情報をさらに含むことを特徴とする請求項２３に記載の光記録媒体。
【請求項２５】
前記最初のエントリは、前記最初欠陥ブロックに関する情報、前記最初欠陥ブロックを代替する代替ブロックに関する位置情報を含むことを特徴とする請求項２４に記載の光記録媒体。
【請求項２６】
前記最後のエントリは、前記最後の欠陥ブロックに関する情報と、前記最後の欠陥ブロックを代替する代替ブロックに関する位置情報とを含むことを特徴とする請求項２４に記載の光記録媒体。
【請求項２７】
前記媒体の連続的な位置にある欠陥ブロックの数に関する情報をさらに含むことを特徴とする請求項２３に記載の光記録媒体。
【請求項２８】
前記連続欠陥リストエントリは、前記媒体の連続的な位置にある欠陥ブロックのうち、最初及び最後の欠陥ブロックに関する位置情報を含むことを特徴とする請求項２３に記載の光記録媒体。
【請求項２９】
光記録媒体にデータを記録／再生する方法において、
前記媒体に、欠陥ブロックに対応する代替ブロックを記録するステップと、
前記媒体の連続的な位置にある欠陥ブロックに関する情報を含む欠陥リストエントリを記録するステップとを含むことを特徴とする記録／再生方法。
【請求項３０】
光記録媒体にデータを記録／再生する方法において、
前記媒体上の連続的な欠陥ブロックを検出するステップと、
前記連続的な欠陥ブロックのうち、最初及び最後の欠陥ブロックにそれぞれ対応する最初及び最後のエントリを含む連続欠陥リストエントリを生成するステップとを含むことを特徴とする記録／再生方法。
【請求項３１】
前記連続欠陥リストエントリは、前記連続欠陥ブロックのうち、最初及び最後の欠陥ブロックの最初及び最後のエントリについての位置情報を含むことを特徴とする請求項３０に記載の記録／再生方法。
【請求項３２】
光記録媒体にデータを記録／再生する方法において、
一つ以上の欠陥ブロックに関する情報、前記媒体の連続的な位置に欠陥ブロックが位置しているか否かの情報、欠陥ブロックが代替ブロックにより代替されたか否かの情報を含む欠陥リストエントリを生成するステップを含むことを特徴とする記録／再生方法。
【請求項３３】
前記欠陥リストエントリは、３ビットバイナリ数字を含むことを特徴とする請求項３２に記載の記録／再生方法。
【請求項３４】
前記３ビットバイナリ数字は、欠陥ブロックが代替されたか否か、前記欠陥ブロックが連続欠陥ブロックの中にあるか否か、前記欠陥ブロックが連続欠陥ブロックのうち、最初または最後の欠陥ブロックであるか否かを表すことを特徴とする請求項３３に記載の記録／再生方法。
【発明の詳細な説明】
【技術分野】
【０００１】
本発明は、ディスク分野に係り、さらに具体的には、光記録情報記録媒体、欠陥管理装置、欠陥管理方法、及びその方法を行うプログラムが記録されたコンピュータで読み取り可能な記録媒体に関する。
【背景技術】
【０００２】
欠陥管理とは、ユーザデータ領域に記録したユーザデータに欠陥が発生したとき、欠陥が発生した部分に記録されたユーザデータを再び記録して、欠陥の発生によるデータ損失を補充する過程を意味する。従来、欠陥管理は、大きく線形置換を利用した欠陥管理方法と、スリップ置換を利用した欠陥管理方法とに分けられる。線形置換とは、ユーザデータ領域に欠陥が発生すれば、この欠陥領域をスペア領域の欠陥が発生していない領域に置換することを言う。スリップ置換とは、欠陥が発生した領域は使用せず、“スリップした”欠陥が発生していない領域を順次に使用することを言う。
【０００３】
線形置換の場合に、ユーザデータ領域に欠陥が発生したブロックを欠陥ブロックと言い、このような欠陥ブロックの代替のための代替ブロックが、ディスクの所定部分に設けられたスペア領域に記録される。そして、このような欠陥ブロック及び代替ブロックに関する情報、すなわち、欠陥ブロック及び代替ブロックの位置を検索するための情報を欠陥リストという。
【０００４】
一般的に、ホストは、ディスクに記録された所定データを読み込むとき、そのデータの論理的なアドレスをもってそのデータを読み込むことをドライブに命令する。それにより、ドライブは、その論理的なアドレスに対応する物理的なアドレスを検索して、その物理的なアドレスに該当する位置に記録されたデータを読み込むが、もし、その物理的なアドレスに欠陥ブロックが発生した場合、ドライブは、その欠陥ブロックを代替した代替ブロックを検索せねばならない。したがって、欠陥リストには、各欠陥ブロック毎に一つずつ、その欠陥ブロックに関する情報を含んでいる欠陥リストエントリが含まれる。すなわち、毎欠陥ブロックごとに一つの欠陥リストエントリが生成されるため、その欠陥リストエントリが占める記録空間も無視できないほどに多く要求される。
【０００５】
したがって、欠陥リストのための空間を効率的を管理することが要求され、このために、ユーザデータ領域で連続的な位置で発生した欠陥ブロックに対しては、さらに効率的に欠陥ブロックに関する情報を管理することが要求される。
【発明の開示】
【発明が解決しようとする課題】
【０００６】
本発明は、ディスクで欠陥管理のための欠陥リストに所要される空間を効率的に管理できる光記録情報記録媒体、欠陥管理装置、欠陥管理方法及びその方法を行うプログラムが記録されたコンピュータで読み取り可能な記録媒体を提供することを目的とする。
【課題を解決するための手段】
【０００７】
前記課題を解決するための本発明の一つの特徴は、光記録情報記録媒体において、ユーザデータ領域と、前記媒体は、ユーザデータ領域で発生した欠陥に関する欠陥ブロックを代替する代替ブロック及び前記欠陥に関する情報が記録されるＳＡ／ＤＬ領域と、を備え、前記欠陥に関する情報は、前記ユーザデータ領域の連続的な位置で発生した欠陥に関する情報を含む連続欠陥リストエントリを備える。
【０００８】
前記連続欠陥リストエントリは、前記連続的な位置で発生した欠陥ブロックのうち、最初の欠陥ブロックに関する情報に対応する最初のエントリと、最後の欠陥ブロックに関する情報に対応する最後のエントリとから構成されることが望ましい。
【０００９】
また、前記最初のエントリは、前記最初の欠陥ブロックの位置情報と、前記最初の欠陥ブロックを代替する代替ブロックの位置情報と、を含むことが望ましい。
【００１０】
また、前記最後のエントリは、前記最後の欠陥ブロックの位置情報と、前記最後の欠陥ブロックを代替する代替ブロックの位置情報と、を含むことが望ましい。
【００１１】
また、前記欠陥に関する情報は、前記連続欠陥リストエントリ数に関する情報を含むことが望ましい。
【００１２】
また、前記欠陥に関する情報は、欠陥リストエントリ数に関する情報をさらに含むことが望ましい。
【００１３】
ここで、単一欠陥リストエントリ数は、前記欠陥リストエントリ数−２Ｘ連続欠陥リストエントリ数により計算されることが望ましい。
【００１４】
また、前記欠陥に関する情報は、前記欠陥ブロックの位置情報、前記代替ブロックの位置情報及び前記欠陥に関する状態情報からなる欠陥リストエントリを備えることが望ましい。
【００１５】
前記状態情報は、前記欠陥ブロックが代替されたか否かを表す代替状態情報と、前記欠陥ブロックが連続的に発生した連続欠陥ブロックであるか否かを表す連続欠陥情報とを含むことが望ましい。
【００１６】
ここで、前記欠陥に関する情報は、前記欠陥ブロックが代替されたことを表す代替状態情報を有する連続欠陥リストエントリ数に関する情報をさらに含むことが望ましい。
【００１７】
ここで、前記欠陥に関する情報は、前記欠陥ブロックが代替されていないことを表す代替状態情報を有する連続欠陥リストエントリ数に関する情報をさらに含むことが望ましい。
【００１８】
本発明の他の特徴は、光記録情報記録媒体にデータを記録／再生するための装置のための欠陥管理装置において、前記媒体に、ユーザデータ領域で発生した欠陥に関する欠陥ブロックを代替する代替ブロック及び前記欠陥に関する情報が記録されるＳＡ／ＤＬ領域を割り当て、前記欠陥に関する情報は、前記ユーザデータ領域の連続的な位置で発生した欠陥に関する情報に対応する連続欠陥リストエントリを備える、欠陥に関する情報を前記ＳＡ／ＤＬ領域に記録するように制御する制御部を備える。
【００１９】
本発明のさらに他の特徴は、光記録情報記録媒体にデータを記録／再生するための欠陥管理方法において、前記媒体に、ユーザデータ領域で発生した欠陥に関する欠陥ブロックを代替する代替ブロック及び前記欠陥に関する情報が記録されるＳＡ／ＤＬ領域を割り当てるステップと、前記ユーザデータ領域の連続的な位置で発生した欠陥に関する情報に対応する連続欠陥リストエントリを含む欠陥に関する情報を前記ＳＡ／ＤＬ領域に記録するステップとを含む。
本発明のさらに他の特徴は、光記録情報記録媒体にデータを記録／再生するための欠陥管理方法を行うプログラムが記録されたコンピュータで読み取り可能な記録媒体において、前記欠陥管理方法は、前記媒体に、ユーザデータ領域で発生した欠陥に関する欠陥ブロックを代替する代替ブロック及び前記欠陥に関する情報が記録されるＳＡ／ＤＬ領域を割り当てるステップと、前記ユーザデータ領域の連続的な位置で発生した欠陥に関する情報に対応する連続欠陥リストエントリを含む欠陥に関する情報を前記ＳＡ／ＤＬ領域に記録するステップとを含む。
【発明を実施するための最良の形態】
【００２０】
以下、添付された図面を参照して本発明を詳細に説明する。
【００２１】
図１は、本発明に係る記録／再生装置の構成の概略的なブロック図である。図１に示すように、前記記録／再生装置は、記録／再生部２及び制御部１を備える。
【００２２】
記録／再生部２は、ピックアップなどを備えて、本発明に係る光記録情報記録媒体のディスク４に／からデータを記録／再生する。制御部１は、本発明に係る欠陥管理を行う。本実施形態で、制御部１は、所定単位でデータを記録した後、記録されたデータを検証することによって、欠陥が発生した部分を検索する「記録後検証方式」による。制御部１は、一レコーディングオペレーション単位でユーザデータを記録した後に検証して、欠陥領域がどこに発生したかを検査する。制御部１は、検査結果から明らかになった欠陥領域がどこなのかを知らせる欠陥情報を生成した後、生成された欠陥情報をメモリに保存していて、所定分量集めて臨時欠陥情報としてディスクに記録する。
【００２３】
レコーディングオペレーションとは、ユーザの意思、行おうとする記録作業などによって決定される作業単位であって、本実施形態では、ディスクが記録装置にローディングされて、所定データの記録作業が行われた後にディスクが取り出されるまでを表す。一レコーディングオペレーションの間に記録後検証作業は、少なくとも１回、通常、複数回行われる。記録後検証作業の実行結果から得られた臨時欠陥情報は、メモリに一時保存される。
【００２４】
ユーザが、所定データの記録作業を完了した後にディスクを取り出すために、記録装置に設けられたイジェクトボタン（図示せず）を押せば、制御部１は、一レコーディングオペレーションが終了することを予測する。レコーディングオペレーションの終了が予測されれば、制御部１は、メモリに保存された臨時欠陥情報を読み込んで記録／再生部２に提供し、これらの情報をディスクに記録することを命令する。
【００２５】
制御部１は、システム制御器１０、ホストＩ／Ｆ  ２０、ＤＳＰ  ３０、ＲＦＡＭＰ  ４０及びサーボ５０を備える。
【００２６】
記録時、ホストＩ／Ｆ  ２０は、ホスト３から所定の記録命令を受信して、これをシステム制御器１０に伝送する。システム制御器１０は、このようなホストＩ／Ｆ  ２０から受信された記録命令を行うために、ＤＳＰ  ３０及びサーボ５０を制御する。ＤＳＰ  ３０は、ホストＩ／Ｆ  ２０から受けた記録するデータのエラー訂正のために、パリティなどの付加データを添加し、ＥＣＣエンコーディングを行って、エラー訂正ブロックであるＥＣＣブロックを生成した後、これを所定の方式で変調する。ＲＦＡＭＰ  ４０は、ＤＳＰ  ３０から出力されたデータをＲＦ信号に変える。ピックアップを備えた記録／再生部２は、ＲＦＡＭＰ  ４０から伝送されたＲＦ信号をディスク４に記録する。サーボ５０は、システム制御器１０からサーボ制御に必要な命令を入力されて、記録／再生部２のピックアップをサーボ制御する。
【００２７】
特に、本発明によって、システム制御器１０は、本発明に係る欠陥管理を行うために欠陥管理部１１及びメモリ部１２を備える。欠陥管理部１１は、メモリ部１２に保存された臨時欠陥情報を読み込んで集めて、本発明に係る欠陥リストを生成する。すなわち、読み込んだ欠陥に関する情報のうち、連続欠陥ブロックに関する情報がある場合には、連続欠陥ブロックのうち最初の欠陥ブロックに関する情報に対応する最初のエントリと、最後の欠陥ブロックに関する情報に対応する最後のエントリとから構成された連続欠陥リストエントリを生成する。したがって、例えば、８個のブロックにわたって連続的に発生した欠陥、すなわち、８個の欠陥ブロックが連続的に発生した場合にも、その欠陥ブロックのそれぞれに対して一つずつエントリが生成されて、総８個のエントリが生成されるのではなく、連続的に発生した欠陥ブロックの一番目のブロック及び最後のブロックに対してのみエントリを生成するので、２個のエントリのみ生成すればよい。したがって、エントリに所要される空間を節約できる。また、各ＤＬエントリには、連続欠陥であるか単一欠陥であるかを表す連続欠陥情報と、代替ブロックがあるか否かを表す代替状態情報とを含めてＤＬエントリを生成する。そして、このようなＤＬエントリを含むＤＬを生成する。
【００２８】
再生時、ホストＩ／Ｆ  ２０は、ホスト３から再生命令を受ける。システム制御器１０は、再生に必要な初期化を行う。記録／再生部２は、ディスク４にレーザビームを照射し、ディスク４から反射されたレーザビームを受光して得られた光信号を出力する。ＲＦＡＭＰ  ４０は、記録／再生部２から出力された光信号をＲＦ信号に変えて、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調して、ＥＣＣエラー訂正を経て得られたデータを出力する。一方、サーボ５０は、ＲＦＡＭＰ  ４０から受けたサーボ信号及び、システム制御器１０から受けたサーボ制御に必要な命令を受けて、ピックアップに対するサーボ制御を行う。ホストＩ／Ｆ  ２０は、ＤＳＰ  ３０から受けたデータをホストに送る。システム制御器１０は、再生制御のためにデータが記録された位置からデータを読み込むようにサーボを制御する。
【００２９】
以下では、本発明に係る光記録情報記録媒体の構造を説明する。
【００３０】
本発明に係る光記録情報記録媒体に記録されるディスク管理情報（Ｄｉｓｃ  Ｍａｎａｇｅｍｅｎｔ  Ｉｎｆｏｒｍａｔｉｏｎ：ＤＭＩ）は、ディスク定義構造（Ｄｉｓｃ  Ｄｅｆｉｎｉｔｉｏｎ  Ｓｔｒｕｃｔｕｒｅ：ＤＤＳ）、記録管理データ（Ｒｅｃｏｒｄｉｎｇ  Ｍａｎａｇｅｍｅｎｔ  Ｄａｔａ：ＲＭＤ）及び欠陥リスト（Ｄｅｆｅｃｔ  Ｌｉｓｔ：ＤＬ）からなっている。ＤＭＩを記録するためのディスク管理情報領域（Ｄｉｓｃ  Ｍａｎａｇｅｍｅｎｔ  Ａｒｅａ：ＤＭＡ）は、大きくディスクを使用する間に前記ＤＭＩを記録するための臨時ディスク管理領域（Ｔｅｍｐｏｒａｒｙ  Ｄｉｓｃ  Ｍａｎａｇｅｍｅｎｔ  Ａｒｅａ：ＴＤＭＡ）と、最終化されたＤＭＩを記録するための最終ディスク管理領域（Ｆｉｎａｌｉｚｅｄ  Ｄｉｓｃ  Ｍａｎａｇｅｍｅｎｔ  Ａｒｅａ：ＦＤＭＡ）とから構成される。
【００３１】
ディスクを使用する間にＤＭＩを臨時的に記録するためのＴＤＭＡは、ＤＤＳ及びＲＭＤを記録するためのＤＤＳ／ＲＭＤ領域と、ＤＬを記録するためのＤＬ領域とを備える。
【００３２】
前記ＤＤＳは、データ領域内に記録されたデータブロックに欠陥発生時、欠陥ブロックを代替する代替ブロック及びＤＬが記録されるＳＡ／ＤＬ領域の位置情報、ＤＤＳ／ＲＭＤ領域の位置情報、ＤＬが記録された位置情報、ＳＡ／ＤＬ領域内で代替及びＤＬのアップデートのために使用可能な位置情報、以前使用中にディスクが正常にイジェクトされたかを検査するための一致フラグ、記録防止のための記録防止情報などを含む。
【００３３】
前記ＲＭＤは、ディスクに記録されたデータの管理のための情報であって、シーケンシャルレコーディングモードでそれぞれのＲ−ゾーンに対する状態を表すＲ−ゾーンエントリと、ランダムレコーディングモードのために、ユーザ領域のそれぞれの記録単位ブロックに対するデータの記録有無をビット値で表したビットマップとを含む。
【００３４】
このようなＤＤＳ及びＲＭＤを記録するためのＤＤＳ／ＲＭＤ領域は、単一記録層ディスクで、リードインまたはリードアウトに設けられ、二重記録層で、リードインまたは中間領域またはリードアウトに設けられる。また、ディスクの使用のための初期化時点に、ドライブ製作者やユーザの意図によってＤＤＳ／ＲＭＤのアップデート可能回数を増加させるために、データ領域の一部にＤＤＳ／ＲＭＤ領域が割り当てられても良い。
【００３５】
ディスクにデータをそれ以上記録できないか、またはユーザが追加的なデータの記録なしに現在のディスク状態をそのまま維持し、再生専用としてのみ使用しようとする場合にディスクは最終化されるが、このとき、最終化されたＤＭＩは、ＦＤＭＡに記録される。
【００３６】
ＰＣＡ領域は、記録方法による多様な記録パワーでテストして、最適の記録パワー及びその記録方法による変数を検索できるテストのために設けられた領域である。
【００３７】
図２は、本発明に係る単一記録層ディスクのディスク構造図の一例を示す図である。図２に示すように、ディスクは、ディスクの半径方向に内周にはリードイン領域があり、外周にはリードアウト領域があり、中央部分にはデータ領域が設けられる。
【００３８】
リードイン領域は、ＰＣＡ  ＃０、ＦＤＭＡ  ＃１、ＦＤＭＡ  ＃２及びＤＤＳ／ＲＭＤ領域  ＃０を備え、データ領域は、ユーザ領域、ＳＡ／ＤＬ領域  ＃０及びＳＡ／ＤＬ領域  ＃１を備え、リードアウト領域は、ＰＣＡ  ＃１、ＦＤＭＡ  ＃３、ＦＤＭＡ  ＃４及びＤＤＳ／ＲＭＤ領域  ＃１を備える。
【００３９】
図３は、本発明に係る二重記録層ディスクのディスク構造図の例を示す図である。図３に示すように、一つの記録層Ｌ０には、リードイン領域、データ領域  ＃０、中間領域  ＃０が設けられ、他の記録層Ｌ１には、中間領域  ＃１、データ領域  ＃１、リードアウト領域が連続的に設けられる。
【００４０】
Ｌ０層のリードイン領域は、ＰＣＡ  ＃０、ＦＤＭＡ  ＃２、ＤＤＳ／ＲＭＤ領域  ＃０及びＦＤＭＡ  ＃１を備え、データ領域は、ＳＡ／ＤＬ領域  ＃０及びユーザ領域  ＃０を備え、中間領域  ＃０は、ＦＤＭＡ  ＃３、ＤＤＳ／ＲＭＤ領域  ＃２、ＦＤＭＡ  ＃４及びＰＣＡ  ＃１を備える。Ｌ１層の中間領域  ＃１は、ＦＤＭＡ  ＃３、ＤＤＳ／ＲＭＤ領域  ＃３、ＦＤＭＡ  ＃４及びＰＣＡ  ＃３を備え、データ領域  ＃１は、ＳＡ／ＤＬ領域  ＃１及びユーザ領域  ＃１を備え、リードアウト領域は、ＰＣＡ  ＃２、ＦＤＭＡ  ＃２、ＤＤＳ／ＲＭＤ領域  ＃１及びＦＤＭＡ  ＃１を備える。
【００４１】
図２及び図３に示すように、ユーザ領域に欠陥が発生した場合、その欠陥に関する欠陥ブロックを代替する代替ブロックがＳＡ／ＤＬ領域に記録され、また、その欠陥に関する情報もＳＡ／ＤＬ領域に記録される。ここで、欠陥に関する情報とは、欠陥ブロックの位置情報及び代替ブロックの位置情報を含み、特に、本発明によって連続欠陥に関する情報を含む。
【００４２】
図４は、本発明に係るＳＡ／ＤＬ領域のデータ構造図である。図４に示すように、ＳＡ／ＤＬ領域  ＃ｉは、ＤＬ  ＃０、代替ブロック  ＃１、・・・代替ブロック  ＃ｋ、ＤＬ  ＃１、代替ブロック  ＃ｋ＋１、・・・ＤＬ  ＃ｍを含む。
ＤＬ  ＃０は、欠陥に関する情報を含むＤＬであって、初期化情報などを含む。
【００４３】
次の位置からは代替ブロックが位置するが、ユーザ領域に発生した欠陥に関する欠陥ブロック  ＃１から欠陥ブロック  ＃ｋまでを代替する代替ブロック  ＃１から代替ブロック  ＃ｋが位置している。そして、ここまでの欠陥に関する情報、すなわち、欠陥ブロック  ＃１から＃ｋ、代替ブロック  ＃１から代替ブロック  ＃ｋまでの情報を含むＤＬであるＤＬ  ＃１が記録されている。そして、次の位置からは、ユーザ領域に発生した欠陥に関する欠陥ブロック  ＃ｋ＋１から欠陥ブロック  ＃ｍまでを代替する代替ブロック  ＃ｋ＋１から代替ブロック  ＃ｍが位置している。
【００４４】
このように、本発明に係る欠陥に関する情報、すなわち、ＤＬが記録される領域は欠陥ブロックを代替する代替ブロックのための領域と別途に区分されて位置せず、ＳＡ／ＤＬ領域という一つの空間内にＤＬ及び代替ブロックが共に存在する。
【００４５】
図５は、図４に示すＤＬ  ＃ｉの細部的なデータ構造図である。図５に示すように、ＤＬ  ＃ｉ  ２００は、ＤＬ識別子２１０、ＤＬアップデートカウンタ２２０、ＤＬエントリ数２３０、ＤＬエントリ  ＃１  ２４０及びＤＬエントリ  ＃２  ２５０を備える。
【００４６】
ＤＬ識別子２１０は、ＤＬであることを表すための識別子を意味する。すなわち、本発明に係るＳＡ／ＤＬ領域には、ＤＬ及び代替ブロックが混在するので、ＤＬであることを表すための識別子が要求される。
【００４７】
ＤＬアップデートカウンタ２２０は、ＤＬがアップデートされる回数を表すための値である。
【００４８】
ＤＬエントリ数２３０は、ＤＬに含まれたエントリの総数を表す。
【００４９】
ＤＬエントリ  ＃１  ２４０やＤＬエントリ  ＃２  ２５０は、欠陥に関する情報であるエントリを表す。このようなＤＬエントリに入る具体的な内容物が図６に示されている。
【００５０】
図６は、図５に示すＤＬエントリ  ＃ｉの細部的なデータ構造図である。図６に示すように、ＤＬエントリ  ＃ｉ  ３００は、状態情報３１０、欠陥ブロック位置情報３２０及び代替ブロック位置情報３３０を含む。
【００５１】
状態情報３１０は、該当ＤＬエントリが表す欠陥に関する状態情報を意味し、欠陥ブロック位置情報３２０は、ユーザ領域に記録された欠陥ブロックの位置情報、例えば、欠陥ブロックの物理的なセクタ番号を表し、代替ブロック位置情報３３０は、ＳＡ／ＤＬ領域に記録された代替ブロックの位置情報、例えば、代替ブロックの物理的なセクタ番号を表す。
【００５２】
状態情報３１０は、１ビットの代替状態情報３１１及び２ビットの連続欠陥情報３１２を含む。
【００５３】
代替状態情報３１１は、ユーザ領域で発生した欠陥ブロックに対して代替が行われたか否かを表す。すなわち、ユーザ領域で発生した欠陥ブロックに対して代替が行われて、ＳＡ／ＤＬ領域に代替ブロックが位置しているか、または、欠陥ブロックは発生したが、代替は行われず、ＳＡ／ＤＬ領域に代替ブロックが位置していないかを表す。
【００５４】
連続欠陥情報３１２は、このＤＬエントリが連続欠陥ブロックを表すエントリであるか否か、そして、連続欠陥ブロックを表すエントリ（以下で、連続ＤＬエントリという）である場合、連続ＤＬエントリの最初であるか、または最後であるかを表す。
【００５５】
このような連続欠陥ブロック及び連続ＤＬエントリについて、図７及び図８を参照して説明する。
【００５６】
図７に示すように、（１）ないし（７）は、それぞれ記録後検証作業が行われる単位を示す。記録装置は、ユーザデータを区間（１）ほど記録した後、区間（１）の最初の部分に戻って、データが良好に記録されたか、それとも欠陥が発生したかを確認する。欠陥が発生した部分が発見されれば、その部分を欠陥領として指定する。これにより、欠陥領域である欠陥＃１が指定される。また、記録装置は、欠陥＃１に記録されたデータをＳＡ／ＤＬ領域にさらに記録する。欠陥＃１に記録されたデータが再起録された部分は、代替＃１と言う。次に、記録装置は、区間（２）ほどユーザデータを記録した後、さらに区間（２）の最初の部分に戻って、データが良好に記録されたか、それとも欠陥が発生したかを確認する。欠陥が発生した部分が発見されれば、その部分は欠陥＃２として指定される。同じ方式で、欠陥＃２に対応する代替＃２が生成される。また、区間（３）で、欠陥領域である欠陥＃３及び代替＃３が生成される。区間（４）では、欠陥が発生した部分が発見されず、欠陥領域が存在しない。
【００５７】
区間（４）まで記録及び検証した後、レコーディングオペレーション＃０の終了が予測されれば（ユーザがイジェクトボタンを押すか、またはレコーディングオペレーションに割り当てられたユーザデータ記録が完了すれば）、記録装置は、区間（１）ないし（４）で発生した欠陥＃１、＃２、＃３に関する情報を含むＤＬ  ＃１をＳＡ／ＤＬ領域に記録する。
【００５８】
レコーディングオペレーション＃１が始まって、記録装置は、ユーザデータを区間（５）ほど記録した後、区間（５）の最初の部分に戻って、データが良好に記録されたか、それとも欠陥が発生したかを確認する。欠陥が発生した部分が発見されれば、その部分を欠陥領域として指定する。これにより、欠陥領域である欠陥＃４及び欠陥＃５が連続的に発生して、連続されたブロックが欠陥ブロックとして指定される。また、記録装置は、欠陥＃４、欠陥＃５に記録されたデータをＳＡ／ＤＬ領域に再記録する。次に、記録装置は、ユーザデータを区間（６）ほど記録した後、区間（６）の最初の部分に戻って、データが良好に記録されたか、それとも欠陥が発生したかを確認する。欠陥領域である欠陥＃６及び欠陥＃７が連続的に発生して、連続されたブロックが欠陥ブロックとして指定される。また、記録装置は、欠陥＃６、欠陥＃７に記録されたデータをＳＡ／ＤＬ領域に再記録する。区間（７）では、欠陥が発生した部分が発見されず、欠陥領域が存在しない。レコーディングオペレーション＃１の終了が予測されれば、記録装置は、欠陥＃４ないし＃７に関する情報を含むＤＬ  ＃２をＳＡ／ＤＬ領域に記録する。
【００５９】
レコーディングオペレーション＃１から発生した欠陥のように、ユーザ領域の連続的な位置に発生した欠陥に関するブロックが連続欠陥ブロックを表す。連続欠陥ブロックの最初の欠陥ブロックは欠陥＃４ブロックとなり、連続欠陥ブロックの最後の欠陥ブロックは欠陥＃７ブロックとなる。
【００６０】
このように、ユーザ領域の所定位置で連続的に発生した連続欠陥ブロックを代替する代替ブロックは、ＳＡ／ＤＬ領域の連続的な位置に記録される。図示するように、ＳＡ／ＤＬ領域で、欠陥＃４ブロックを代替する代替＃４ブロックが設けられ、連続された次の位置に、欠陥＃５ブロックを代替する代替＃５ブロックが設けられ、連続された次の位置に、欠陥＃６ブロックを代替する代替＃６ブロックが設けられ、連続された次の位置に、欠陥＃７ブロックを代替する代替＃７ブロックが設けられる。連続欠陥ブロックを代替する代替ブロックのうち最初の代替ブロックは、代替＃４ブロックとなり、連続欠陥ブロックを代替する代替ブロックのうち最後の代替ブロックは、代替＃７ブロックとなる。
【００６１】
このように連続的な位置に発生した欠陥に関する連続欠陥ブロックの場合に、連続欠陥ブロックに含まれた欠陥ブロックは、何れも連続された位置にあるという特性によって、連続欠陥ブロックの最初のブロック位置及び最後のブロック位置だけが分かれば、その位置から連続欠陥ブロックに含まれた残りのブロックの位置も分かる。したがって、本発明は、連続欠陥ブロックの場合に、欠陥に関する情報に連続欠陥ブロックの最初の欠陥ブロック及び最後の欠陥ブロックに関する情報のみを含めることによって、欠陥に関する情報を記録するために必要な空間を節約できる。このような事項は、連続欠陥ブロックを代替する代替ブロックに対しても同じく適用される。
【００６２】
したがって、このように連続欠陥ブロックに関する情報を表す連続ＤＬエントリは、図８に示すように、最初のエントリ及び最後のエントリから構成できる。
【００６３】
図８に示すように、連続ＤＬエントリは、最初のエントリ及び最後のエントリから構成される。最初のエントリ及び最後のエントリは、何れも図６に示すようなＤＬエントリの構造を有するが、ただし、最初のエントリは、連続欠陥のうち最初の欠陥に関する情報を含んでおり、最後のエントリは、連続欠陥のうち最後の欠陥に関する情報を含んでいる。
【００６４】
最初のエントリは、状態情報と、連続欠陥ブロックのうち最初の欠陥ブロックがユーザ領域に記録された位置を表す最初の欠陥ブロック位置情報と、この最初の欠陥ブロックを代替する最初の代替ブロックがＳＡ／ＤＬ領域に記録された位置を表す最初の代替ブロック位置情報と、を含む。最後のエントリは、状態情報と、連続欠陥ブロックのうち最後の欠陥ブロックがユーザ領域に記録された位置を表す最後の欠陥ブロック位置情報と、この最後の欠陥ブロックを代替する最後の代替ブロックがＳＡ／ＤＬ領域に記録された位置を表す最後の代替ブロック位置情報と、を含む。
【００６５】
図９は、図６に示す代替状態情報及び連続欠陥情報の例を示す図である。図９に示すように、代替状態情報を表すビットは、“０”及び“１”である。代替状態情報３１１が“１”であれば、欠陥ブロック位置情報３２０に該当する欠陥ブロックが代替なしに欠陥位置のみが表示された場合を表し、代替状態情報３１１が“０”であれば、欠陥ブロック位置情報３２０に該当する欠陥ブロックが代替ブロック位置情報３３０に該当する代替ブロックに代替されたことを表す。
【００６６】
連続欠陥情報を表すビットは、“００”、“０１”、“１０”である。連続欠陥情報３１２が“００”であれば、このＤＬエントリは、連続欠陥ではない単一ＤＬエントリを表す。この場合、代替状態情報に設定された値によって、代替のある欠陥ブロックを表しても、代替のない欠陥ブロックを表してもよい。代替のある欠陥ブロックである場合には、欠陥ブロック位置情報及び代替ブロック位置情報を有し、代替のない欠陥ブロックである場合には、欠陥ブロック位置情報のみを有する。
【００６７】
連続欠陥情報３１２が“０１”であれば、このＤＬエントリは、連続ＤＬエントリの最初のエントリを表す。したがって、図８に示すように、このＤＬエントリは、連続欠陥ブロックの最初の欠陥ブロック位置情報と、連続代替ブロックの最初の代替ブロック位置情報と、を有する。
【００６８】
連続欠陥情報３１２が“１０”であれば、このＤＬエントリは、連続ＤＬエントリの最後のエントリを表す。したがって、図８に示すように、このＤＬエントリは、連続欠陥ブロックの最後の欠陥ブロック位置情報と、連続代替ブロックの最後の代替ブロック位置情報とを有する。
【００６９】
以下では、１ビットの代替状態情報３１１と２ビットの連続欠陥情報３１２とが組合わせられた３ビットについて説明する。
【００７０】
１ビットの代替状態情報３１１と２ビットの連続欠陥情報３１２とが組合わせられた３ビットが“０００”であれば、このＤＬエントリは、単一欠陥ブロックに関する単一ＤＬエントリを表し、この単一欠陥ブロックは、代替ブロックを有する状態を表す。したがって、このＤＬエントリは、欠陥ブロック位置情報及び代替ブロック位置情報を有する。
【００７１】
組合わせられた３ビットが“１００”であれば、このＤＬエントリは、単一欠陥ブロックに関する単一ＤＬエントリを表し、この単一欠陥ブロックは、代替ブロックを有していない状態を表す。したがって、このＤＬエントリは、欠陥ブロック位置情報は有するが、代替ブロック位置情報は有さない。
【００７２】
組合わせられた３ビットが“００１”であれば、このＤＬエントリは、連続欠陥ブロックに関する連続ＤＬエントリの最初のエントリを表し、この最初のエントリに対応する欠陥ブロック、すなわち、連続欠陥ブロックのうち最初の欠陥ブロックは、代替ブロックを有する状態を表す。したがって、このＤＬエントリは、連続欠陥ブロックのうち最初の欠陥ブロックの位置情報と、この連続欠陥ブロックを代替する連続代替ブロックのうち最初の代替ブロックの位置情報とを有する。
【００７３】
組合わせられた３ビットが“０１０”であれば、このＤＬエントリは、連続欠陥ブロックに関する連続ＤＬエントリの最後のエントリを表し、この最後のエントリに対応する欠陥ブロック、すなわち、連続欠陥ブロックのうち最後の欠陥ブロックは、代替ブロックを有する状態を表す。したがって、このＤＬエントリは、連続欠陥ブロックのうち最後の欠陥ブロックの位置情報と、この連続欠陥ブロックを代替する連続代替ブロックのうち最後の代替ブロックの位置情報とを有する。
【００７４】
組合わせられた３ビットが“１０１”であれば、このＤＬエントリは、連続欠陥ブロックに関する連続ＤＬエントリの最初のエントリを表し、この最初のエントリに対応する欠陥ブロック、すなわち、連続欠陥ブロックのうち最初の欠陥ブロックは、代替ブロックを有していない状態を表す。したがって、このＤＬエントリは、連続欠陥ブロックのうち最初の欠陥ブロックの位置情報は有するが、この連続欠陥ブロックを代替する連続代替ブロックのうち最初の代替ブロックの位置情報は有さない。
【００７５】
組合わせられた３ビットが“１１０”であれば、このＤＬエントリは、連続欠陥ブロックに関する連続ＤＬエントリの最後のエントリを表し、この最後のエントリに対応する欠陥ブロック、すなわち、連続欠陥ブロックのうち最後の欠陥ブロックは、代替ブロックを有していない状態を表す。したがって、このＤＬエントリは、連続欠陥ブロックのうち最後の欠陥ブロックの位置情報は有するが、この連続欠陥ブロックを代替する連続代替ブロックのうち最後の代替ブロックの位置情報は有さない。
【００７６】
図１０は、本発明によって連続欠陥情報を説明するための参考図である。図１０に示すように、（Ａ）は、ユーザデータが記録されるユーザ領域を表し、（Ｂ）は、代替ブロック及びＤＬが記録されるＳＡ／ＤＬ領域を表す。
【００７７】
（Ａ）を参照するに、ユーザ領域の位置“５”で、最初の欠陥として単一欠陥ブロック（ａ）が発生し、位置“９”から“１２”までの連続的な位置で、二番目の欠陥として連続欠陥ブロック（ｂ）、（ｃ）、（ｄ）、（ｅ）が発生し、位置“１７”から“２０”までの連続的な位置で、三番目の欠陥として連続欠陥ブロック（ｆ）、（ｇ）、（ｈ）、（ｉ）が発生することが表示されている。
【００７８】
（Ｂ）を参照するに、ＳＡ／ＤＬ領域には、ユーザ領域に発生した欠陥ブロックを代替する代替ブロック及びＤＬが表示されている。
【００７９】
単一欠陥ブロック（ａ）を代替する単一代替ブロック（ａ’）がＳＡ／ＤＬ領域の位置“５５”に設けられ、連続欠陥ブロック（ｂ）、（ｃ）、（ｄ）、（ｅ）を連続的に代替する連続代替ブロック（ｂ’）、（ｃ’）、（ｄ’）、（ｅ’）がＳＡ／ＤＬ領域の位置“５６”から“５９”まで設けられ、位置“６０”に三番目の連続欠陥以後にアップデートされた欠陥リストＤＬ  ＃ｋが記録される。連続欠陥ブロック（ｆ）、（ｇ）、（ｈ）、（ｉ）は、代替ブロックを有さない。このような状態で、欠陥リストＤＬ  ＃ｋに入る情報が図１１Ａに示されている。
【００８０】
図１１Ａは、図１０に示す状態でのＤＬ  ＃ｋのデータ構造図である。図１１Ａに示すように、ＤＬ  ＃Ｋ４００は、ＤＬ識別子４１０と、ＤＬアップデートカウンタ４２０と、ＤＬエントリの個数４３０と、５個のＤＬエントリ、すなわち、ＤＬエントリ  ＃１  ４４０、ＤＬエントリ  ＃２  ４５０、ＤＬエントリ  ＃３  ４６０、ＤＬエントリ  ＃４  ４７０及びＤＬエントリ  ＃５  ４８０を備える。
【００８１】
ＤＬ識別子４１０は、前述したように、ＤＬであることを表す識別子を意味し、ＤＬアップデートカウンタ４２０には、ＤＬがアップデートされた回数として“Ｋ”が記録され、ＤＬエントリ数４３０には、ＤＬ  ＃Ｋに入っているエントリの総数である“５”が記録される。
【００８２】
ＤＬエントリ  ＃１  ４４０は、図８に示す単一欠陥ブロック（ａ）に関するエントリであって、代替状態情報として“０”が、連続欠陥情報として“００”が、欠陥ブロック位置情報として“５”が、代替ブロック位置情報として“５５”が記録される。
【００８３】
ＤＬエントリ  ＃２  ４５０及びＤＬエントリ  ＃３  ４６０は、連続ＤＬエントリを構成する。
【００８４】
ＤＬエントリ  ＃２  ４５０は、連続ＤＬエントリの最初のエントリであり、ＤＬエントリ  ＃３  ４６０は、連続ＤＬエントリの最後のエントリである。すなわち、ＤＬエントリ  ＃２  ４５０は、図８に示す連続欠陥ブロックのうち最初の欠陥ブロック（ｂ）に関するエントリであって、欠陥ブロック（ｂ）は代替されたので、代替状態情報として“０”が記録され、連続ＤＬエントリの最初のエントリであるので、連続欠陥情報として“０１”が記録され、欠陥ブロック（ｂ）の位置情報として“９”が、代替ブロック（ｂ’）の位置情報として“５６”が記録される。
【００８５】
ＤＬエントリ  ＃３  ４６０は、図８に示す連続欠陥ブロックのうち最後の欠陥ブロック（ｅ）に関するエントリであって、欠陥ブロック（ｅ）は代替されたので、代替状態情報として“０”が記録され、連続ＤＬエントリの最後のエントリであるので、連続欠陥情報として“１０”が記録され、欠陥ブロック（ｅ）の位置情報として“１２”が、代替ブロック（ｅ’）の位置情報として“５９”が記録される。
【００８６】
ＤＬエントリ  ＃４  ４７０及びＤＬエントリ  ＃５  ４８０は、連続ＤＬエントリを構成する。
【００８７】
ＤＬエントリ  ＃４  ４７０は、連続ＤＬエントリの最初のエントリであり、ＤＬエントリ  ＃５  ４８０は、連続ＤＬエントリの最後のエントリである。すなわち、ＤＬエントリ  ＃４  ４７０は、図８に示す連続欠陥ブロックのうち最初の欠陥ブロック（ｆ）に関するエントリであって、欠陥ブロック（ｆ）は代替されていないので、代替状態情報として“１”が記録され、連続ＤＬエントリの最初のエントリであるので、連続欠陥情報として“０１”が記録され、欠陥ブロック（ｆ）の位置情報として“１７”が記録され、この欠陥ブロックに対しては代替されず、代替ブロックがないため、代替ブロック位置情報としては“００”が記録される。
【００８８】
ＤＬエントリ  ＃５  ４８０は、図１０の（Ａ）に示す連続欠陥ブロックのうち最後の欠陥ブロック（ｉ）に関するエントリであって、欠陥ブロック（ｉ）は、代替されていないので、代替状態情報として“１”が、連続ＤＬエントリの最後のエントリであるので、連続欠陥情報として“１０”が、欠陥ブロック（ｉ）の位置情報として“２０”が記録され、この欠陥ブロックに対しては代替されず、代替ブロックがないため、代替ブロック位置情報としては“００”が記録される。
【００８９】
図１１Ｂは、図１０に示す状態で、連続ＤＬエントリの個数情報をさらに含むＤＬ  ＃ｋのデータ構造図である。図１１Ｂに示すＤＬ  ＃ｋは、図１１Ａに示すＤＬ  ＃ｋと他の部分とは同じであり、ただし、連続ＤＬエントリの個数４９０をさらに追加したことが異なる。図１０に示すように、連続ＤＬエントリは２個あるので、連続ＤＬエントリの個数４９０として“２”が記録される。
【００９０】
このように連続ＤＬエントリの個数フィールドを置くことによって、ＤＬ内にある連続ＤＬエントリ数及び単一ＤＬエントリ数が、全てのＤＬエントリを検索せずとも予め分かる。ＤＬエントリ数及び連続ＤＬエントリ数から単一ＤＬエントリ数を、次のように計算できる。
【００９１】
単一ＤＬエントリ数は＝ＤＬエントリ数−２ｘ（連続ＤＬエントリ数）
前述したように、連続ＤＬエントリは、最初のエントリと最後のエントリとの対から構成されるので、前記のような式を満足する。
【００９２】
例えば、図１１Ｂに示すＤＬ  ＃Ｋの場合に、単一ＤＬエントリ数は＝５−２ｘ２＝１のように計算されうる。
【００９３】
図１１Ｃは、図１１Ｂに示すＤＬ  ＃ｋに、代替状態情報“０”を有する連続ＤＬエントリの個数情報と、代替状態情報“１”を有する連続ＤＬエントリの個数情報とがさらに含まれたデータ構造図である。
【００９４】
図１１Ｃに示すＤＬ  ＃ｋは、図１１Ｂに示すＤＬ  ＃ｋとほぼ同じであるが、ただし、代替状態情報“０”を有する連続ＤＬエントリの個数情報５００と、代替状態情報“１”を有する連続ＤＬエントリの個数情報５１０とをさらに含むことが異なる。図１１Ａに示すように、代替状態情報“０”を有する連続ＤＬエントリは、ＤＬエントリ  ＃２  ４５０及びＤＬエントリ  ＃３  ４６０であって１個であるので、代替状態情報“０”を有する連続ＤＬエントリの個数５００として、“１”が記録される。代替状態情報“１”を有する連続ＤＬエントリは、ＤＬエントリ  ＃４  ４７０及びＤＬエントリ  ＃５  ４８０であって１個であるので、代替状態情報“１”を有する連続ＤＬエントリの個数５１０として、“１”が記録される。
【００９５】
図１２は、本発明に係る欠陥管理方法を説明するためのフローチャートである。図１２に示すように、記録装置は、記録後検証が行われる単位でデータ領域にユーザデータを記録する（１２０１）。次に、前記ステップ１２０１で記録されたデータを検証して、欠陥が発生した部分を検索する（１２０２）。制御部１は、欠陥が発生した部分を欠陥領域として指定し、欠陥領域に記録されたデータをＳＡ／ＤＬ領域に再記録して代替領域を生成させた後、欠陥ブロック及び代替ブロックに関する情報を生成してメモリに保存する（１２０３）。レコーディングオペレーションの終了が予測されるまで、前記ステップ１２０１ないしステップ１２０３を繰り返す。
【００９６】
ユーザ入力またはレコーディングオペレーションによるユーザデータ記録が完了して、レコーディングオペレーションの終了が予測されれば（１２０４）、記録装置の制御部１は、メモリに保存された欠陥に関する情報を読み込む（１２０５）。
【００９７】
読み込んだ欠陥に関する情報のうち連続欠陥に関する情報がある場合には、連続欠陥の最初の欠陥に関する情報に対応する最初のエントリと、最後の欠陥に関する情報に対応する最後のエントリとから構成された連続ＤＬエントリを生成し、また、各ＤＬエントリには、連続欠陥であるか単一欠陥であるかを表す連続欠陥情報と、代替ブロックがあるか否かを表す代替状態情報とを含めて、ＤＬエントリを生成してＤＬを生成する（１２０６）。
【００９８】
そして、このように生成されたＤＬをＳＡ／ＤＬ領域に記録する（１２０７）。
【００９９】
以上で説明したようなディスク欠陥管理方法は、また、コンピュータで読み取り可能な記録媒体に、コンピュータで読み取り可能なコードとして具現することが可能である。コンピュータで読み取り可能な記録媒体は、コンピュータシステムによって読み取られうるデータが保存されるあらゆる種類の記録媒体を含む。コンピュータで読み取り可能な記録媒体の例としては、ＲＯＭ、ＲＡＭ、ＣＤ−ＲＯＭ、磁気テープ、フロッピー（登録商標）ディスク、光データ記録装置などがあり、またキャリアウェーブ（例えば、インターネットを介した伝送）の形態で具現されるものも含む。また、コンピュータで読み取り可能な記録媒体は、ネットワークに連結されたコンピュータシステムに分散されて、分散方式でコンピュータで読み取り可能なコードが保存され、かつ実行されうる。そして、前記ディスク欠陥管理方法を具現するための機能的なプログラム、コード及びコードセグメントは、当業界のプログラマーによって容易に推論されうる。
【０１００】
以上、本発明についてその望ましい実施形態を中心に説明した。当業者は、本発明が本発明の本質的な特性から逸脱しない範囲で変形された形態で具現されうるということが理解できるであろう。したがって、開示された実施形態は、限定的な観点ではなく、説明的な観点で考慮されねばならない。本発明の範囲は、前述した説明ではなく、特許請求の範囲に示されており、それと同等な範囲内にある全ての差異点は、本発明に含まれたものと解釈されねばならないであろう。
【産業上の利用可能性】
【０１０１】
本発明は、欠陥管理のための光記録情報記録媒体、記録／再生装置及び記録／再生方法に適用できる。
【図面の簡単な説明】
【０１０２】
【図１】本発明に係る記録／再生装置の構成の概略的なブロック図である。
【図２】本発明に係る単一記録層ディスクのディスク構造図の一例を示す図である。
【図３】本発明に係る二重記録層ディスクのディスク構造図の一例を示す図である。
【図４】本発明に係るＳＡ／ＤＬ領域のデータ構造図である。
【図５】図４に示すＤＬ  ＃ｉの細部的なデータ構造図である。
【図６】図５に示すＤＬエントリ  ＃ｉの細部的なデータ構造図である。
【図７】本発明によって連続欠陥ブロックを説明するための参考図である。
【図８】本発明によって連続ＤＬエントリを説明するための参考図である。
【図９】図６に示す代替状態情報及び連続欠陥情報の例を示す図である。
【図１０】本発明によって代替のある連続欠陥ブロックと代替のない連続欠陥ブロックとを説明するための参考図である。
【図１１Ａ】図１０に示す状態でのＤＬ  ＃ｋのデータ構造図である。
【図１１Ｂ】図１０に示す状態で、連続ＤＬエントリの個数情報をさらに含むＤＬ  ＃ｋのデータ構造図である。
【図１１Ｃ】図１１Ｂに示すＤＬ  ＃ｋに代替状態情報“０”を有する連続ＤＬエントリの個数情報と、代替状態情報“１”を有する連続ＤＬエントリの個数情報とをさらに含まれたデータ構造図である。
【図１２】本発明に係るディスク欠陥管理方法の過程を示すフローチャートである。
【図１】
2007518204.tif 000003
【図２】
2007518204.tif 000004
【図３】
2007518204.tif 000005
【図４】
2007518204.tif 000006
【図５】
2007518204.tif 000007
【図６】
2007518204.tif 000008
【図７】
2007518204.tif 000009
【図８】
2007518204.tif 000010
【図９】
2007518204.tif 000011
【図１０Ａ】
2007518204.tif 000012
【図１０Ｂ】
2007518204.tif 000013
【図１１Ａ】
2007518204.tif 000014
【図１１Ｂ】
2007518204.tif 000015
【図１１Ｃ】
2007518204.tif 000016
【図１２】
2007518204.tif 000017
【国際調査報告】
2007518204.tif 000018